【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
フォントファイルの要求を受け取り、
前記要求が有効であるかを判断し、
前記要求が有効であると判断された場合、少なくとも１つのゼロ長ベクトルを前記フォントファイルにおける少なくとも１つの場所に少なくとも挿入することによって、第１のウォーターマークを前記フォントファイルに組み込み、
前記フォントファイルを提供する、方法。
【請求項２】
さらに、顧客識別子を含む少なくとも１つのデータテーブルを前記フォントファイルにおける少なくとも１つのデータ構造に少なくとも挿入することによって、第２のウォーターマークを前記フォントファイルに組み込む、請求項１に記載の方法。
【請求項３】
前記要求が有効であるかの判断は、セキュリティトークンの評価を含む、請求項１に記載の方法。
【請求項４】
前記少なくとも１つのゼロ長ベクトルの挿入にあたっては、前記セキュリティトークンに基づくパターンに応じて、前記少なくとも１つのゼロ長ベクトルが、前記フォントファイルにおける前記少なくとも１つの場所に挿入される、請求項３に記載の方法。
【請求項５】
前記要求が有効であるかの判断は、リファラ文字列の評価を含む、請求項１に記載の方法。
【請求項６】
さらに、ネットワークにおいて少なくとも１つのウェブサイトをサーチし、
前記フォントファイルに不正にリンクしている少なくとも１つのウェブサイトを判断する、請求項２に記載の方法。
【請求項７】
前記第１のウォーターマークおよび前記第２のウォーターマークに基づいて、前記フォントファイルに不正にリンクしている少なくとも１つのウェブサイトを判断する、請求項６に記載の方法。
【請求項８】
コンピュータ読取り可能な指令群を格納している、少なくとも１つの非一時的かつコンピュータ読取り可能な媒体であって、当該指令群が少なくとも１つのコンピュータに実行されることにより、当該少なくとも１つのコンピュータに、
フォントファイルの要求を受け取らせ、
前記要求が有効であるかを判断させ、
前記要求が有効であるとの判断に応じて、少なくとも１つのゼロ長ベクトルを前記フォントファイルにおける少なくとも１つの場所に少なくとも挿入することによって、第１のウォーターマークを前記フォントファイルに組み込ませ、
前記フォントファイルを提供させる、非一時的かつコンピュータ読取り可能な媒体。
【請求項９】
前記少なくとも１つのコンピュータに実行されることにより、当該少なくとも１つのコンピュータに、顧客識別子を含む少なくとも１つのデータテーブルを前記フォントファイルにおける少なくとも１つのデータ構造に少なくとも挿入することによって、第２のウォーターマークを前記フォントファイルに組み込ませる指令群をさらに格納している、請求項８に記載の非一時的かつコンピュータ読取り可能な媒体。
【請求項１０】
前記要求が有効であるかの判断は、セキュリティトークンの評価を含む、請求項８に記載の非一時的かつコンピュータ読取り可能な媒体。
【請求項１１】
前記少なくとも１つのゼロ長ベクトルの挿入にあたっては、前記セキュリティトークンに基づくパターンに応じて、前記少なくとも１つのゼロ長ベクトルが、前記フォントファイルにおける前記少なくとも１つの場所に挿入される、請求項１０に記載の非一時的かつコンピュータ読取り可能な媒体。
【請求項１２】
前記要求が有効であるかの判断は、リファラ文字列の評価を含む、請求項８に記載の非一時的かつコンピュータ読取り可能な媒体。
【請求項１３】
実行されることにより、前記少なくとも１つのコンピュータに、
ネットワークにおいて少なくとも１つのウェブサイトをサーチさせ、
前記フォントファイルに不正にリンクしている少なくとも１つのウェブサイトを判断させる指令群をさらに格納している、請求項９に記載の非一時的かつコンピュータ読取り可能な媒体。
【請求項１４】
前記第１のウォーターマークおよび前記第２のウォーターマークに基づいて、前記フォントファイルに不正にリンクしている少なくとも１つのウェブサイトを判断する、請求項１３に記載の非一時的かつコンピュータ読取り可能な媒体。
【請求項１５】
装置であって、
少なくとも１つのプロセッサと、
コンピュータ読取り可能な指令群を格納しているメモリとを備え、
前記指令群が前記少なくとも１つのプロセッサに実行されることにより、前記装置に、
フォントファイルの要求を受け取らせ、
前記要求が有効であるかを判断させ、
前記要求が有効であるとの判断に応じて、少なくとも１つのゼロ長ベクトルを前記フォントファイルにおける少なくとも１つの場所に少なくとも挿入することによって、第１のウォーターマークを前記フォントファイルに組み込ませ、
前記フォントファイルを提供させる、装置。
【請求項１６】
前記少なくとも１つのプロセッサに実行されることにより、前記装置に、顧客識別子を含む少なくとも１つのデータテーブルを前記フォントファイルにおける少なくとも１つのデータ構造に少なくとも挿入することによって、第２のウォーターマークを前記フォントファイルに組み込ませる指令群を、前記メモリがさらに格納している、請求項１５に記載の装置。
【請求項１７】
前記要求が有効であるかの判断は、セキュリティトークンの評価を含む、請求項１５に記載の装置。
【請求項１８】
前記少なくとも１つのゼロ長ベクトルの挿入にあたっては、前記セキュリティトークンに基づくパターンに応じて、前記少なくとも１つのゼロ長ベクトルが、前記フォントファイルにおける前記少なくとも１つの場所に挿入される、請求項１７に記載の装置。
【請求項１９】
前記要求が有効であるかの判断は、リファラ文字列の評価を含む、請求項１５に記載の装置。
【請求項２０】
前記少なくとも１つのプロセッサに実行されることにより、前記装置に、
ネットワークにおいて少なくとも１つのウェブサイトをサーチさせ、
前記フォントファイルに不正にリンクしている少なくとも１つのウェブサイトを判断させる指令群を、前記メモリがさらに格納している、請求項１６に記載のコンピュータ読取り可能な媒体。
【請求項２１】
未承認フォントのリンクを防止する方法であって、
スタイルシートに含まれるフォントリンクによってトリガされる第１のフォントファイルの要求を受け取り、
前記要求に関連付けられたリファラ文字列に基づいて、前記要求が有効なソースに由来するものであるかを判断し、
前記要求が有効なソースに由来するものであると判断された場合、
前記要求を、前記スタイルシートに関連付けられた顧客に対応する顧客識別子に関連付け、
顧客識別子に基づくパターンに応じたゼロ長ベクトルを前記フォントファイルにおける少なくとも１つの場所に少なくとも挿入することによって、第１のウォーターマークを前記第１のフォントファイルに組み込み、
前記顧客識別子を含む少なくとも１つのデータテーブルを前記フォントファイルにおける少なくとも１つのデータ構造に少なくとも挿入することによって、第２のウォーターマークを前記第１のフォントファイルに組み込み、
ネットワークにおいて少なくとも１つの文書をサーチし、
前記少なくとも１つの文書が第２のフォントファイルにリンクしているかを判断し、
前記第２のフォントファイルを評価して、当該第２のフォントファイルが前記第１のウォーターマークまたは前記第２のウォーターマークを含んでいるかを判断し、
前記第２のフォントファイルが前記第１のウォーターマークまたは前記第２のウォーターマークを含んでいると判断された場合、前記少なくとも１つの文書が前記顧客に関連付けられているかを判断し、
前記少なくとも１つの文書が前記顧客に関連付けられていないと判断された場合、前記少なくとも１つの文書は、前記第２のフォントファイルと不正にリンクしていると判断する、方法。